(57)【要約】【課題】  一つの封筒で往信と返信とに使用することができる往復封筒を提供することを目的とするものである。【解決手段】  基材の中央に設けられた折目線を介して、封筒本体片と往信用紙片とが折り曲げ可能に連接され、封筒本体片上には、略同じ大きさの返信用紙片が重ねられ、端縁が接着されて送付物収納部が形成された往復封筒であって、返信用紙片の上面には返信宛名記入部が設けられ折目線側の端部には折目線に沿って粘着剤層が形成されるとともに該粘着剤層を覆って剥離紙が貼着され、往信用紙片には折目線にて二つ折りされ返信用紙片の粘着剤層の側端縁側と対向する位置の近傍に返信封緘用切取線が設けられ、往信用紙片の上面には返信封緘用切取線と折目線と対向する側端縁との間の領域に剥離剤層と、上面に透明な粘着剤層及び下面に接着剤層を有する透明性シートと、剥離紙が順次重ねられた構成からなることを特徴とするものである。【選択図】        図１
2009083884.tif 000002
【特許請求の範囲】
【請求項１】
基材の中央に設けられた折目線を介して、封筒本体片と往信用紙片とが折り曲げ可能に連接され、前記封筒本体片上には、略同じ大きさの返信用紙片が重ねられ、上端縁、側端縁、下端縁が接着されて送付物収納部が形成された往復封筒であって、前記返信用紙片の上面には返信宛名記入部が設けられ前記折目線側の端部には前記折目線に沿って粘着剤層が形成されるとともに該粘着剤層を覆って剥離紙が貼着され、前記往信用紙片には前記折目線にて二つ折りされ前記返信用紙片の前記粘着剤層の前記側端縁側と対向する位置の近傍に前記折目線に沿って返信封緘用切取線が設けられ、前記往信用紙片の上面には前記返信封緘用切取線と前記折目線と対向する側端縁との間の領域に剥離剤層と、上面に透明な粘着剤層及び下面に接着剤層を有する透明性シートと、剥離紙が順次重ねられた構成からなることを特徴とする往復封筒。
【請求項２】
前記返信用紙片の前記側端縁に直交する方向の長さが前記封筒本体片の前記側端縁と前記折目線との長さよりも短くされ、前記側端縁で前記返信用紙片と前記封筒本体片とを揃えて重ねられ前記送付物収納部が形成されていることを特徴とする請求項１記載の往復封筒。
【請求項３】
前記往信用紙片の下面には、往信用宛名が印字可能であることを特徴とする請求項１又は２に記載の往復封筒。
【発明の詳細な説明】
【技術分野】
【０００１】
本発明は、郵便やメール便等で配送される往復封筒に関し、特に一つの封筒で往信と返信とに使用することができる往復封筒に関するものである。
【背景技術】
【０００２】
従来、封筒で返信を得たい場合、往信に使用される封筒の中に返信用として別体の返信封筒を同封して郵便やメール便等で配送される方法が広く行なわれている。この場合、通常、受信側の返信の手間や負担を軽減するために返信封筒には送信側の住所、社名、部署名等の返信先が予め記載されている。
しかし、往信用封筒を同封するには手間がかかり、特に往信用、返信用それぞれの封筒が同規格、同形状のものを使用する場合には、返信用封筒を、同封が可能な形状に折りたたむ必要があり煩雑なものであった。
このような返信用封筒を同封する煩わしさを解消した往復封筒として、有底袋体の封筒形状となり、裏返して使用することで往復使用できる往復封筒が開示されている（例えば、特許文献１参照）。
【０００３】
しかしながら、上記の特許文献１に開示された往復封筒では、封筒を裏返す際に、封筒に皺が発生することがあるという問題がある。さらには封筒に紙を用いた場合、封筒を裏返す際に破れが発生することがあるという問題がある。
【特許文献１】特開２００６−２８２２１６号公報
【発明の開示】
【発明が解決しようとする課題】
【０００４】
本発明は、上記のような従来の問題点に鑑み、一つの封筒で往信と返信とに使用することができる往復封筒を提供することを目的とするものである。
【課題を解決するための手段】
【０００５】
上記課題を解決するために、本発明の往復封筒は、基材の中央に設けられた折目線を介して、封筒本体片と往信用紙片とが折り曲げ可能に連接され、前記封筒本体片上には、略同じ大きさの返信用紙片が重ねられ、上端縁、側端縁、下端縁が接着されて送付物収納部が形成された往復封筒であって、前記返信用紙片の上面には返信宛名記入部が設けられ前記折目線側の端部には前記折目線に沿って粘着剤層が形成されるとともに該粘着剤層を覆って剥離紙が貼着され、前記往信用紙片には前記折目線にて二つ折りされ前記返信用紙片の前記粘着剤層の前記側端縁側と対向する位置の近傍に前記折目線に沿って返信封緘用切取線が設けられ、前記往信用紙片の上面には前記返信封緘用切取線と前記折目線と対向する側端縁との間の領域に剥離剤層と、上面に透明な粘着剤層及び下面に接着剤層を有する透明性シートと、剥離紙が順次重ねられた構成からなることを特徴とするものである。
【０００６】
また、請求項２に記載の本発明は、請求項１記載の往復封筒において、前記返信用紙片の前記側端縁に直交する方向の長さが前記封筒本体片の前記側端縁と前記折目線との長さよりも短くされ、前記側端縁で前記返信用紙片と前記封筒本体片とを揃えて重ねられ前記送付物収納部が形成されていることを特徴とするものである。
【０００７】
また、請求項３に記載の本発明は、請求項１又は２に記載の往復封筒において、前記往信用紙片の下面には、往信用宛名が印字可能であることを特徴とするものである。
【発明の効果】
【０００８】
本発明の往復封筒は、基材の中央に設けられた折目線を介して、封筒本体片と往信用紙片とが折り曲げ可能に連接され、封筒本体片上には、略同じ大きさの返信用紙片が重ねられ、上端縁、側端縁、下端縁が接着されて送付物収納部が形成された往復封筒であって、返信用紙片の上面には返信宛名記入部が設けられ折目線側の端部には折目線に沿って粘着剤層が形成されるとともに該粘着剤層を覆って剥離紙が貼着され、往信用紙片には折目線にて二つ折りされ返信用紙片の粘着剤層の側端縁側と対向する位置の近傍に折目線に沿って返信封緘用切取線が設けられ、往信用紙片の上面には返信封緘用切取線と折目線と対向する側端縁との間の領域に剥離剤層と、上面に透明な粘着剤層及び下面に接着剤層を有する透明性シートと、剥離紙が順次重ねられた構成にすることによって、送信側は往信用紙片に重ねられた透明性シートの上面の透明な粘着剤層面を返信用紙片に重ねて圧着することにより容易に封緘でき、受信側（返信側）は透明性シートの接着剤層と剥離剤層とが剥離可能なために往信用紙片を返信用紙片より容易に剥離でき、送付物を取り出すことができる。また、透明性シートの接着剤層と剥離剤層は一旦剥離すると再接着が困難なために第三者に開封され盗み見された場合、その事実が残り確認できるためにセキュリティ性の高いものとできると共に第三者に開封されることを未然に防止できる。さらに受信側は、返信に際しては返信封緘用切取線で往信用紙片を切取り、残った往信用紙片の一部を返信用の封緘片として使用でき返信用紙片の粘着剤層に重ねて圧着することにより封緘でき容易に返信封筒とできる。また、送信側にとっては、返信封筒を別途同封する手間が省けると共に返信封筒が不要になり経済的である。さらには一つの封筒で往復使用できので封筒の基材の使用量を削減でき、省資源化が図れる。
【０００９】
また、請求項２記載の本発明は、返信用紙片の側端縁に直交する方向の長さが封筒本体片の側端縁と折目線との長さよりも短くされ、側端縁で返信用紙片と封筒本体片とを揃えて重ねられ送付物収納部が形成されていることにより、受信側の受取人は送付物収納部に収納された送付物を取り出しやすいという効果がある。
【発明を実施するための最良の形態】
【００１０】
以下図面を用いて、本発明の実施形態について説明する。図１は本発明の往復封筒の一実施形態について説明するための斜視図、図２は本発明の表面図と裏面図、図３は図２のＸ−Ｘ線断面図、図４は本発明の往復封筒の使用方法を示す説明図である。図中の符号１は往復封筒、２は基材、３は折目線、４は封筒本体片、５は往信用紙片、６は返信用紙片、７は接着剤、８は送付物収納部、９は返信宛名記入部、１０、１５は粘着剤層、１１、１８は剥離紙、１２は返信封緘用切取線、１３は剥離剤層、１４は透明性基材、１６は接着剤層、１７は透明性シート、１９は往信宛名記入部、２０は封緘片、ｄは下端縁、ｓ、ｓ’は側端縁、ｕは上端縁をそれぞれ示す。
【００１１】
まず、図１から図３を参照しながら本発明の往復封筒について説明する。図１は本発明の往復封筒の返信用紙片側から見た斜視図である。図２（ａ）は返信用紙片側から見た平面図、（ｂ）は封筒本体片側から見た平面図であり、本願明細書において図２（ａ）を表面図、図２（ｂ）を裏面図と称することとする。図３は図２（ａ）のＸ−Ｘ線断面図である。図１〜３に示すように本発明の往復封筒１は、基材２の中央に設けられた折目線３を介して、封筒本体片４と往信用紙片５とが折り曲げ可能に連接され、封筒本体片４上には、略同じ大きさの返信用紙片６が重ねられ、上端縁ｕ、側端縁ｓ、下端縁ｄが接着剤７で接着されて送付物収納部８が形成されている。返信用紙片６の上面には返信宛名記入部９が設けられ返信側の住所及び宛名が印刷されており、折目線３側の端部には折目線３に沿って帯状に粘着剤層１０が形成されるとともに粘着剤層１０を覆って帯状の剥離紙１１が貼着され、往信用紙片５には折目線３にて二つ折りされ返信用紙片６に形成された粘着剤層１０の側端縁ｓ側と対向する位置の近傍に折目線３に沿って返信封緘用切取線１２が設けられている。さらに往信用紙片５の上面には返信封緘用切取線１２と折目線３と対向する側端縁ｓ’との間の領域に剥離剤層１３と、透明性基材１４の上面に透明な粘着剤層１５及び下面に接着剤層１６を有する透明性シート１７と、剥離紙１８が順次重ねられて構成されている。
【００１２】
また、返信用紙片６の側端縁ｓに直交する方向の長さが封筒本体片４の側端縁ｓと折目線３との長さよりも短くされ、側端縁ｓで返信用紙片６と封筒本体片４とを揃えて重ねられ送付物収納部８が形成されている。このようにすることにより、受信側の受取人は送付物収納部に収納された送付物を取り出しやすいものとなる。また、図２（ｂ）に示すように往信用紙片５の下面（外面）には往信宛名記入部１９が設けられ印字可能となっており、受信側の往信用宛名（住所及び宛名等）がプリンター等により印字されている。
【００１３】
次に、図３を参照しながら本発明の往復封筒１に使用される材料について説明する。まず、基材２及び返信用紙片６には上質紙、カード紙、コート紙、クレーコート紙、クラフト紙、合成紙等が使用できる。剥離紙１１、１８には上質紙、クラフト紙、コート紙、グラシン紙等が使用でき、さらに、粘着剤層１０、１５と接する側の面にシリコン系あるいはアクリル系樹脂等が印刷あるいはコートされてなる剥離層が設けられている。また、粘着剤層１０及び透明性シート１７の粘着剤層１５に用いる粘着剤には、アクリル系樹脂、ゴム系樹脂等を用いた一般の粘着剤を使用できる。接着剤７には、酢酸ビニル系や合成ゴム系等の合成樹脂エマルジョンタイプ、あるいはポバール、デキストリン、にかわ等の再湿タイプを用いることができる。接着剤層１６に用いる接着剤には、酢酸ビニル系やアクリル系やあるいはその混合系や合成ゴム系等の合成樹脂エマルジョンタイプ等の接着剤が用いられる。透明性シート１７に用いられる透明性基材１４には、グラシン紙等の透明性のある紙やプラスチックフィルムや不織布が用いられるが、廃棄性、分別回収性の面からグラシン紙等の紙基材が望ましい。剥離剤層１３に用いられる剥離剤としてはウレタンアクリレート、アクリレート等を主成分とする紫外線硬化型のＵＶインキ等が使用でき、全面ベタ若しくはパターン状にオフセット印刷、活版印刷等により形成される。なお、ＵＶインキにシリコン系の材料を適宜、添加して剥離性のコントロールをしてもよい。
【００１４】
次に図３、図４を参照しながら本発明の往復封筒１の使用方法を説明する。図４は、図２のＸ−Ｘ線断面に相当する断面図として本発明の往復封筒の使用方法を説明する図である。まず、図３に示すように、送信側は例えばカタログ、チラシ、申込書等の送付物を送付物収納部８に収納し、往信用紙片５上の剥離紙１８を剥離して透明性シート１７の粘着剤層１５を露出させ、折目線３で二つ折りして返信用紙片６に重ねて図４（ａ）に示すように圧着することにより封緘する。往信用紙片５の外面の往信宛名記入部１９（図２参照）に受信側の住所及び宛名等が印字されていることを確認後、投函する。
【００１５】
受信側は往信用紙片５の例えば開封指示された隅部より往信用紙片５を捲ると剥離剤層１３と接着剤層１６との間で剥離して往信用紙片５の上には剥離剤層１３が残り、返信用紙片の上には接着剤層１６を上にして透明性シート１７が残った状態で開封でき、送付物を取り出すことができる。なお、透明性シート１７の接着剤層１６と剥離剤層１３とは一旦剥離すると再接着が困難なために第三者に開封され盗み見された場合、その事実が残り確認できるためにセキュリティ性の高いものにできると共に第三者に開封されることを未然に防止できるものである。また、本発明の一実施形態では、往信用紙片５の側端縁ｓ’に直交する方向の長さ（側端縁ｓ’から折目線３までの長さ）が封筒本体片４の側端縁ｓに直交する方向の長さ（側端縁ｓから折目線３までの長さ）よりも短くした形態を示したがこれに限定されるものではない。このようにすることにより、受信側は往信用紙片５の隅部より往信用紙片５を捲りやすく開封しやすいという効果がある。
【００１６】
その後、受信側は、図４（ｂ）に示すように例えば、申込書に必要事項を記入して再び、送付物収納部８に収納し、返信封緘用切取線１２で往信用紙片５を切取り、残った往信用紙片の一部を返信用の封緘片２０とし、返信用紙片６の上面の剥離紙１１を剥離して粘着剤層１０を露出させ、封緘片２０を折目線３で折り返して図４（ｃ）に示すように粘着剤層１０に重ねて圧着することにより封緘でき容易に返信封筒とできる。返信用紙片６には返信宛名記入部９に予め返信側の住所及び宛名が印刷されているために、そのまま投函すればよい。なお、返信用紙片６の上には透明性シート１７が接着された状態となっており、予め印刷された返信側の住所及び宛名は透明性シート１７を透かして視認できるものである。以上のように送信側にとっては、返信封筒を別途同封する手間が省けると共に返信封筒が不要になり経済的である。さらには一つの封筒で往復の使用ができ、封筒の基材の使用量を削減でき、省資源化が図れるものである。
【産業上の利用可能性】
【００１７】
本発明の往復封筒は、通信販売申込書等の親展通知情報を伴う郵便、メール便等による通信媒体に利用できる。
【図面の簡単な説明】
【００１８】
【図１】本発明の往復封筒の一実施形態について説明するための斜視図である。
【図２】本発明の表面図と裏面図である。
【図３】図２のＸ−Ｘ線断面図である。
【図４】本発明の往復封筒の使用方法を示す説明図である。
【符号の説明】
【００１９】
１                                      往復封筒
２                                      基材
３                                      折目線
４                                      封筒本体片
５                                      往信用紙片
６                                      返信用紙片
７                                      接着剤
８                                      送付物収納部
９                                      返信宛名記入部
１０、１５                              粘着剤層
１１、１８                              剥離紙
１２                                    返信封緘用切取線
１３                                    剥離剤層
１４                                    透明性基材
１６                                    接着剤層
１７                                    透明性シート
１９                                    往信宛名記入部
２０                                    封緘片
ｄ                                      下端縁
ｓ、ｓ’                                側端縁
ｕ                                      上端縁
【図１】
2009083884.tif 000003
【図２】
2009083884.tif 000004
【図３】
2009083884.tif 000005
【図４】
2009083884.tif 000006